(57)【要約】【課題】  注出口付きの袋状容器について、製造が容易で、注出口でのガスバリア性材料の使用量が少なく、しかも、充分なガスバリア性を確保できるようにする。【解決手段】  左右両側が薄くなるように横長に扁平化された筒状の基部３１の上方に、基部３１の上端から内方に延びる肩部３２を介して、小径筒状の注出口３３が一体的に形成された合成樹脂製の注出口部材３に対して、ガスバリア性を有する薄膜部材４を、注出口部材３の注出口３３の下端開口を塞ぐように、注出口部材３の肩部３２から少なくとも基部３１の上端付近までの内面側に一体的に接合させる。【選択図】  図４
2006001557.tif 000002
【特許請求の範囲】
【請求項１】
左右両側が薄くなるように横長に扁平化された筒状の基部の上方に、基部の上端から内方に延びる肩部を介して、小径筒状の注出口が一体的に形成された合成樹脂製の注出口部材を、ガスバリア性のあるシート材で形成された袋部材に対して、基部が袋部材との接合部分として袋部材の内部に挿入され、注出口が袋部材の外部に突出するように取り付けている袋状容器において、ガスバリア性を有する薄膜部材が、注出口部材の注出口の下端開口を塞ぐように、注出口部材の肩部から少なくとも基部の上端付近までの内面側に一体的に接合されていることを特徴とする袋状容器。
【請求項２】
ガスバリア性を有する薄膜部材が、注出口部材の肩部から基部の下端付近までの内面側に一体的に接合されていることを特徴とする請求項１に記載の袋状容器。
【請求項３】
注出口部材の注出口に装着される閉蓋具として、注出口の外面側に嵌合固定される筒状部と、筒状部の上端開口を開閉するキャップ部と、筒状部とキャップ部を可動的に連結するヒンジ部とからなるヒンジ式キャップが使用されていることを特徴とする請求項１又は２に記載の袋状容器。
【発明の詳細な説明】
【技術分野】
【０００１】
本発明は、液状やゼリー状やペースト状の飲料食品等のような流動性のある内容物が充填される袋状容器に関し、特に、ガスバリア性のある袋部材に対して合成樹脂製の注出口部材が取り付けられた袋状容器において、袋部材だけでなく注出口部材でのガスバリア性にも優れた袋状容器に関する。
【背景技術】
【０００２】
液状やゼリー状やペースト状の飲料食品等のような流動性のある内容物を充填するための容器として、閉蓋具による閉鎖が可能な円筒状の注出口を備えた袋状の容器が、従来から広く一般的に使用されている。また、そのような注出口付きの袋状容器において、充填されている内容物が容器内で酸化して変質するのを防止するために、容器の主要部分である袋の部分をガスバリア性に優れたシート材によって形成するということが従来から一般的に行なわれており、さらには、袋状容器の注出口の部分についても、充分なガスバリア性を持たせるようにすることで、容器全体のガスバリア性を高めるということが従来公知となっている。
【０００３】
すなわち、袋状容器の袋部材に取り付けられる注出口部材について、例えば、下記の特許文献１には、注出口部材である管状ポートの本体部（注出口）とその上端の封止部を、それぞれガスバリア性のある中間層を設けたものにするということが記載されており、また、下記の特許文献２には、容器用注出部材において注出部（注出口）とその下方のシール部（基部）にのみバリアー樹脂の中間層を設けるということが記載されており、また、下記の特許文献３には、筒状注出口の内面にバリア層を有するバリアフィルムを接着するということが記載されている。
【特許文献１】特開平１１−１２８３１７号公報
【特許文献２】特開２００２−２１１５９４号公報
【特許文献３】特開２００３−２５２３４８号公報
【発明の開示】
【発明が解決しようとする課題】
【０００４】
ところで、上記のような従来公知の注出口付きの袋状容器によれば、構造上は注出口の部分で充分なガスバリア性を持たせることができるものの、円筒状の注出口の全体にわたって、ガスバリア性材料の中間層を形成したり、或いは、内面側にガスバリア性材料のフィルムを接着したりする必要があり、さらには、注出口の上端開口を閉鎖する部分にもガスバリア性材料が必要となることから、注出口の部分でのガスバリア性材料の使用量が多くなると共に、注出口部材を製造する際の製造方法が面倒なものとなる。そのため、材料費のコストアップを招くと共に、複雑な製造工程が必要となって生産性が悪くなったり、複雑な製造装置が必要となったりすることで、製造コストもアップすることとなる。
【０００５】
本発明は、上記のような問題の解消を課題とするものであり、具体的には、注出口付きの袋状容器について、製造が容易で、注出口でのガスバリア性材料の使用量が少なく、しかも、充分なガスバリア性を確保できるようにすることを課題とするものである。
【課題を解決するための手段】
【０００６】
本発明は、上記のような課題を解決するために、左右両側が薄くなるように横長に扁平化された筒状の基部の上方に、基部の上端から内方に延びる肩部を介して、小径筒状の注出口が一体的に形成された合成樹脂製の注出口部材を、ガスバリア性のあるシート材で形成された袋部材に対して、基部が袋部材との接合部分として袋部材の内部に挿入され、注出口が袋部材の外部に突出するように取り付けている袋状容器において、ガスバリア性を有する薄膜部材が、注出口部材の注出口の下端開口を塞ぐように、注出口部材の肩部から少なくとも基部の上端付近までの内面側に一体的に接合されていることを特徴とするものである。
【発明の効果】
【０００７】
上記のような本発明の袋状容器によれば、注出口部材の注出口の部分に対しては、その下端開口を塞ぐようにガスバリア性材料を使用しているだけであるため、注出口部分（その上端を閉鎖する部分を含む）の全体にガスバリア性材料を使用する場合と比べて、ガスバリア性材料の使用量を大幅に抑えることができる。また、注出口部材の肩部や基部の上端付近（何れも袋部材では覆われない部分）にガスバリア性材料を使用していることから、注出口部材でのガスバリア性を充分に確保することができる。しかも、注出口の周壁内部にガスバリア性の中間層を形成したり、或いは、周壁内面にガスバリア性フィルムを接着したりするような場合と比べて、注出口部材の内面側にガスバリア性の薄膜部材を容易に接合させることができて、ガスバリア性の薄膜部材を含む注出口部材の製造を、容易に生産性良く行なうことができる。
【０００８】
なお、本発明の袋状容器を使用する際には、注出口の下端開口を塞いでいる薄膜部材の一部分をストロー等により破断することで、容器内の内容物を取り出す（ストロー等により吸引したりする）こととなるが、そのようなストロー等による注出口の開封の際に、ガスバリア性の薄膜部材が、フレキシブルな袋部材と比べて剛性のある合成樹脂製の注出口部材に一体的に接合されていることで、ストロー等による袋状容器の注出口の開封を容易に行なうことができる。
【発明を実施するための最良の形態】
【０００９】
注出口付きの袋状容器について、製造が容易で、注出口でのガスバリア性材料の使用量が少なく、しかも、充分なガスバリア性を確保できるようにするという目的を、最良の形態として以下の実施例に具体的に示すように、左右両側が薄くなるように横長に扁平化された筒状の基部の上方に、基部の上端から内方に延びる肩部を介して、小径筒状の注出口が一体的に形成された合成樹脂製の注出口部材に対して、ガスバリア性を有する薄膜部材を、注出口部材の注出口の下端開口を塞ぐように、注出口部材の肩部から少なくとも基部の上端付近までの内面側に一体的に接合させるということで実現した。
【実施例】
【００１０】
以下、本発明の袋状容器の一実施例について説明すると、図１に示すように、袋状容器（別体のキャップを除く容器本体）１では、内容物を注出するための注出口部材３が、基部３１の上方に肩部３２を介して注出口３３が一体的に形成されたものであり、内容物を収納するための袋部材２に対して、その基部３１を袋部材２の内部に挿入させ、その注出口３３を袋部材２の外部に突出させるように、注出口部材３が袋部材２に一体的に取り付けられている。
【００１１】
すなわち、袋状容器１では、電熱によるヒートシール法，超音波シール法，高周波シール法等の適宜のヒートシール法により加熱したヒートシール金型を両側から押し付けて袋部材２の上端開口部を密閉する際に、注出口部材３の基部３１を袋部材２の上端開口部の内側に挟んだ状態で、注出口部材３の基部３１の外面と袋部材２の上端開口部の内面とをヒートシールにより接着固定することで、袋部材２と注出口部材３とを熱接着により一体的に接合している。
【００１２】
袋状容器１の袋部材２は、ガスバリアに優れた熱可塑性樹脂の薄膜やアルミ箔等のシートと、ポリエチレンやポリプロピレン等の熱接着性を有する樹脂フィルムのシートとを積層した、フレキシブルでガスバリア性のあるシート材から、所望の形状に製造されるものである。なお、そのような熱接着性を有しガスバリア性を有するシート材については、特に限定されるものではないが、その具体的な一例としては、外層から順に、厚さ１５μｍのポリエステルフィルムと、厚さ１０μｍのアルミ箔と、厚さ１５μｍの延伸ナイロンフィルムと、厚さ８０μｍのポリエチレンフィルムとが積層された多層ラミネートシートがある。
【００１３】
袋状容器１の注出口部材３は、ポリプロピレンやポリエチレン等の熱可塑性樹脂を使用して射出成形法で一体的に成形されるものであり、袋部材２との接合部分となる注出口部材３の基部３１は、袋部材２の上端開口部の内側に挟まれ易いように、図２（Ｂ）に示すように、左右両側が薄くなるように横長に扁平化された筒状（本実施例では、横断面形状が細長い略菱形の筒状）に形成されている。
【００１４】
そのような横長に扁平化された筒状の基部３１の内側では、図４（Ａ），（Ｂ）に示すように、基部３１の内部空間（筒内）３Ａは、下方に全面的に開放されて袋部材２の内部と連通しており、その上方は注出口３３の注出通路（筒内）３Ｂとなっていて、基部３１の内部空間３Ａと注出口３３の注出通路３Ｂとの間は、後で述べる薄膜部材４の天板部４１により封緘された状態となっている。
【００１５】
また、注出口部材３の基部３１の外面には、図３（Ａ），（Ｂ）に示すように、横方向へ延びる複数本の突条３１ａが並列的に形成され、また、左右両端に薄肉部３１ｂが形成されていて、それにより、ヒートシール金型を両側から押し付けて、注出口部材３の基部３１の外面と袋部材２の上端開口部の内面とを熱接着により接着固定する際に、突条３１ａや薄肉部３１ｂの部分で樹脂が確実に溶融するようにして、比較的低いヒートシール温度でも両者の熱接着が行なわれるようにしている。
【００１６】
そのような注出口部材３の基部３１の上端（筒の周壁上端）には、水平方向で内方に延びるように平板状の肩部３２が一体的に形成されており、この肩部３２の内縁から上方に突出するように、円筒状の注出口（口部）３３が一体的に形成されている。なお、肩部３２の外縁部分は、搬送時等に把持可能なように、基部３１の外面よりも僅かに外方に張り出したフランジ部となっている。
【００１７】
そのように肩部３２の外縁部分を基部３１の外面よりも僅かに外方に張り出したフランジ部としているのに対して、基部３１の外面に熱接着される袋部材２は、図４（Ｂ）に示すように、その上端が肩部３２の外縁部分（フランジ部）の下面近傍にまで延びるように、基部３１の外面に熱接着されており、それによって、外方に張り出した肩部３２の外縁部分（フランジ部）により袋部材２の上端が保護されて、袋部材２の上端が基部３１の外面から剥離し難い（上端がめくれ難い）ようになっている。
【００１８】
また、注出口部材３の注出口３３の外面には、キャップを冠着させるための係合部３３ａが一体的に形成されており、本実施例では、図６に示すように、注出口３３の上端開口を開閉するための閉蓋具として、注出口３３の外面側に嵌合固定される筒状部５１と、筒状部５１の上端開口を開閉するキャップ部５２と、筒状部５１とキャップ部５２とを可動的に連結するヒンジ部５３とからなるヒンジ式キャップ５が装着されることとなる。すなわち、ヒンジ式キャップ５の筒状部５１の内面に形成された係合部５１ａが、注出口部材３の注出口３３の外面に形成された係合部３３ａの下に入り込んで係合することで、注出口部材３の注出口３３にヒンジ式キャップ５が装着されることとなる。
【００１９】
ところで、上記のような本実施例の袋状容器１において、注出口部材３には、図４（Ａ），（Ｂ）に示すように、ガスバリア性を有する薄膜部材４が、注出口部材３の注出口３３の下端開口（注出通路３Ｂの下端）を塞ぐように、注出口部材３の肩部３２から少なくとも基部３１の上端付近までの内面側に一体的に接合されている。なお、本実施例では、ガスバリア性を有する薄膜部材４は、注出口部材３の肩部３２から基部３１の下端付近までの内面側に一体的に接合されている。
【００２０】
このガスバリア性を有する薄膜部材４は、熱可塑性樹脂がラミネートされたアルミ箔やガスバリア性に優れた熱可塑性樹脂の薄膜で、ストローで容易に破断される程度の強度の薄膜を材料として、図５に示すように、頂板部４１とスカート部４２とを有するようなカップ状に成形されたものであり、図４（Ａ），（Ｂ）に示すように、頂板部４１は、注出口３３の下端開口（注出通路３Ｂの下端）を塞ぐと共に、肩部３２の内面側を全面的に覆っており、スカート部４２は、基部３１の内面の下端付近まで垂下していて、スカート部４２の下端は、外方に屈曲して基部３１の壁内に埋め込まれた状態となっている。
【００２１】
そのような薄膜部材４は、注出口部材３を熱可塑性樹脂により金型内で射出成形する際に、予め金型内にインサートしておくことで、注出口部材３の内面側に一体的に熱接着させた状態で接合させることができる。なお、注出口部材３をオレフィン系の熱可塑性樹脂で製造する場合には、薄膜部材４の薄膜の少なくとも外層に使用する熱可塑性樹脂にオレフィン系の樹脂を使用することで、注出口部材３と薄膜部材４との間の熱接着性を優れたものにすることができる。
【００２２】
上記のように注出口部材３に対してガスバリア性を有する薄膜部材４が一体的に接合されている本実施例の袋状容器１によれば、注出口部材３の注出口３３の部分に対しては、その下端開口を塞ぐようにガスバリア性材料を使用しているだけであるため、注出口全体（およびその上端を閉鎖する部分）にガスバリア性材料を使用する場合と比べて、ガスバリア性材料の使用量を大幅に抑えることができると共に、注出口部材３の肩部３２や基部３１の上端付近（何れも袋部材２で覆われない部分）にはガスバリア性材料を使用していることから、注出口部材３でのガスバリア性を充分に確保することができる。
【００２３】
しかも、円筒状の注出口の周壁内部にガスバリア性の中間層を形成したり、或いは、周壁内面にガスバリア性フィルムを接着したりするような場合と比べて、注出口部材３の内面側にガスバリア性の薄膜部材４を容易に接合させることができて、ガスバリア性の薄膜部材４を含む注出口部材３の製造を、容易に生産性良く行なうことができる。
【００２４】
また、袋状容器１を使用する際には、注出口３３の下端開口を塞いでいる薄膜部材４の頂板部４１をストロー等により破断することで、容器内の内容物を取り出す（ストロー等により飲用したりする）こととなるが、そのようなストロー等による注出口３３の開封の際に、ガスバリア性の薄膜部材４が、フレキシビリティのある袋部材２と比べて剛性のある合成樹脂製の注出口部材３に一体的に接合されていることで、ストロー等による薄膜部材４の破断を容易に行なうことができる。
【００２５】
なお、本実施例の袋状容器１では、基部３１の外面がガスバリア性を有する袋部材２により覆われていると共に、ガスバリア性を有する薄膜部材４が、注出口部材３の肩部３２から基部３１の下端付近までの内面側に一体的に接合されていることから、基部３１の部分ではガスバリア層が内外両面で二重に形成されることとなり、そのため、内容物を変質させるガスは、基部３１の壁部の上端から下端付近までの長い距離を軸方向に透過する以外に透過することができないため、この部分（基部３１の壁厚面積の部分）でのガスの透過量を最小限に抑えることができる。
【００２６】
さらに、本実施例の袋状容器１では、注出口部材３の注出口３３に装着する閉蓋具としてヒンジ式キャップ５を使用していることから、注出口３３の内部や注出口３３を封緘する薄膜部材４の頂板部４１をキャップ５によって保護することができ、また、ストロー等により薄膜部材４を破断した後でもキャップ５により注出口３３を開閉自在に再閉鎖できると共に、キャップ（キャップ部５２）による注出口３３の再封鎖の際に、ネジキャップ等に比べて、開閉動作を片手でも容易に行なうことができて、取り外したキャップ（キャップ部５２）を誤って失うようなこともない。
【００２７】
以上、本発明の袋状容器の一実施例について説明したが、本発明は、上記のような実施例にのみ限定されるものではなく、例えば、注出口部材の内面側に接合される薄膜部材について、上記の実施例では注出口部材の基部の下端付近にまで設けているが、基部の壁厚面積（基部の横断面積）自体は僅かなものであって、この部分でのガスバリア性を特に向上させる必要もない場合には、基部の上端付近にまで薄膜部材を設ければ良く、そうした場合には、使用するガスバリア性材料をより少なくすることができる。
【００２８】
また、注出口部材の注出口に装着するキャップについては、上記の実施例に示したようなヒンジ式キャップに限らず、一般的なネジキャップやスナップキャップであっても良く、再閉鎖する必要がない場合には、別体のキャップや栓等の閉蓋具を設けることなく、注出口の上端部分それ自体を封止状態として、この封止部分を使用時に切断して切り離すようにしても良い等、適宜に設計変更可能なものであることは言うまでもない。
【図面の簡単な説明】
【００２９】
【図１】本発明の袋状容器の一実施例を示す部分切り欠き斜視図。
【図２】図１に示した袋状容器の注出口部材を示す（Ａ）上面図、および（Ｂ）下面図。
【図３】図１に示した袋状容器の注出口部材を示す（Ａ）正面図、および（Ｂ）側面図。
【図４】図１に示した袋状容器の注出口部材の内部構造を示す（Ａ）基部の長径に沿った縦断面図、および（Ｂ）基部の短径に沿った縦断面図。
【図５】図１に示した袋状容器の注出口部材の内面側に接合されるガスバリア性の薄膜部材それ自体を示す斜視図。
【図６】図１に示した袋状容器の注出口部材の注出口にヒンジ式キャップを装着した状態を示す、基部の長径に沿った縦断面図。
【符号の説明】
【００３０】
１        袋状容器（キャップを除く容器本体）
２        袋部材
３        注出口部材
４        ガスバリア性を有する薄膜部材
５        ヒンジ式キャップ
３１      （注出口部材の）基部
３２      （注出口部材の）肩部
３３      （注出口部材の）注出口
５１      （ヒンジ式キャップの）筒状部
５２      （ヒンジ式キャップの）キャップ部
５３      （ヒンジ式キャップの）ヒンジ部
【図１】
2006001557.tif 000003
【図２】
2006001557.tif 000004
【図３】
2006001557.tif 000005
【図４】
2006001557.tif 000006
【図５】
2006001557.tif 000007
【図６】
2006001557.tif 000008